(57)【要約】      （修正有）【課題】洗浄中の対象物とのヌルツキ感を嫌う食器や調理器具、果物や野菜等の硬質表面に付着した汚れを除去する洗浄剤組成物の提供。【解決手段】Ｎ−アシルアスパラギン酸またはその塩を０．０１〜５０質量％含有してなるｐＨが３〜７の果物、野菜、食器、調理用器具等の硬質表面を洗う洗浄剤組成物および更に酸化エチレン残基および酸化プロピレン残基から選ばれる１または２種を含む親水基を有し炭素数が８〜１４の直鎖状または分岐鎖状の飽和または不飽和炭素鎖を疎水基とするノニオン界面活性剤を含有してなる洗浄剤組成物。【選択図】なし【特許請求の範囲】
【請求項１】
Ｎ−アシルアスパラギン酸またはその塩を０．０１〜５０質量％含有し、ｐＨが３〜７（２５℃）であることを特徴とする洗浄剤組成物。
【請求項２】
Ｎ−アシルアスパラギン酸以外の界面活性剤を含有してなることを特徴とする請求項１記載の洗浄剤組成物。
【請求項３】
界面活性剤がノニオン系界面活性剤であることを特徴とする請求項２記載の洗浄剤組成物。
【請求項４】
ノニオン系界面活性剤が酸化エチレン残基及び酸化プロピレン残基から選ばれる１または２種を含む親水基を有し炭素数が８〜１４の直鎖状または分枝鎖状の飽和または不飽和炭素鎖を疎水基とすることを特徴とする請求項３記載の洗浄剤組成物。
【請求項５】
硬質表面洗浄用であることを特徴とする請求項１〜４のいずれかに記載の洗浄剤組成物。
【発明の詳細な説明】
【技術分野】
【０００１】
本発明は、Ｎ−アシルアスパラギン酸またはその塩を含有してなる果物、野菜、食器、調理用器具等の硬質表面を洗う洗浄剤組成物に関する。
【背景技術】
【０００２】
従来より、果物、野菜、食器、調理用器具等の硬質表面を洗う洗浄剤組成物は起泡力を目的としたアニオン系界面活性剤に洗浄力、脱脂力を目的としたノニオン系界面活性剤や起泡力の補助等を目的に両性界面活性剤を単独あるいは数種類を組み合わせて一般的に使用されている。（例えば、特許文献１参照）
通常、アニオン系界面活性剤としてポリオキシエチレンアルキル硫酸エステルまたはその塩やアルキルベンゼンスルホン酸またはその塩、ノニオン系界面活性剤としてポリオキシエチレンアルキルエーテルやアルキルグルコシド、両性界面活性剤にはアルキルプロピルベタインなどが１種類から数種類組み合わせて使用されているが最適な起泡力を得ることができるｐＨは中性からアルカリ性であり逆酸性が最適である人の肌に手荒れが生じる原因の一つである。また、充分な起泡力や洗浄力を得る目的で界面活性剤濃度を高配合すると、洗浄中の食器等に対するヌルツキ等がありお皿の破損が生じていることが知られている。
このように果物、野菜、食器、調理用器具等の硬質表面を洗う洗浄剤組成物にアニオン系界面活性剤にノニオン系界面活性剤や両性界面活性剤を単独あるいは数種類を組み合わせて使用されているが、手荒れの問題やお皿へのヌルツキから生じる破損等があり決して満足な性能を与えているとは言えないのが現状である。
【０００３】
【特許文献１】特開２００６−０３６９５２号公報
【発明の開示】
【発明が解決しようとする課題】
【０００４】
本発明は洗浄中の対象物とのヌルツキ感を低減した洗浄剤組成物であり弱酸性領域における高起泡力、高洗浄力、低刺激の性能を有し、果物や野菜に付着した農薬や汚れ、食器や調理用器具、硬質表面の油汚れを除去する洗浄剤組成物を提供することを目的とする。
本発明は上記課題を解決するために鋭意研究を重ねた結果、Ｎ−アシルアスパラギン酸またはその塩を主成分とするＮ−アシルアスパラギン酸系界面活性剤を含有してなるｐＨが３〜７の果物、野菜、食器、調理用器具等の硬質表面を洗う洗浄剤組成物が、その目的に適合しうることを見出し、この知見に基づいて本発明をなすに至った。
【０００５】
すなわち、本発明は下記に示す通りである。
１．Ｎ−アシルアスパラギン酸またはその塩を０．０１〜５０質量％含有し、ｐＨが３〜７（２５℃）であることを特徴とする洗浄剤組成物。
２．Ｎ−アシルアスパラギン酸以外の界面活性剤を含有してなることを特徴とする上記１．記載の洗浄剤組成物。
３．界面活性剤がノニオン系界面活性剤であることを特徴とする上記２．記載の洗浄剤組成物。
４．ノニオン系界面活性剤が酸化エチレン残基及び酸化プロピレン残基から選ばれる１または２種を含む親水基を有し炭素数が８〜１４の直鎖状または分枝鎖状の飽和または不飽和炭素鎖を疎水基とすることを特徴とする上記３．記載の洗浄剤組成物。
５．硬質表面洗浄用であることを特徴とする上記１.〜４．のいずれかに記載の洗浄剤組成物。
【発明の効果】
【０００６】
本発明のＮ−アシルアスパラギン酸またはその塩を主成分とするＮ−アシルアスパラギン酸系界面活性剤を含有してなる洗浄剤組成物は洗浄中の対象物とのヌルツキ感を低減した性能有しｐＨが３〜７の弱酸性領域における高起泡力、高洗浄力、低刺激に優れ、果物や野菜に付着した農薬や汚れ、食器や調理用器具、硬質表面の油汚れを除去する効果を有する。
【発明を実施するための最良の形態】
【０００７】
本発明について、以下具体的に説明する。
本発明の洗浄剤組成物はＮ−アシルアスパラギン酸またはその塩を主成分とするＮ−アシルアスパラギン酸系界面活性剤を含有するが、主成分としては下記一般式（１）で表わされるＮ−アシルアスパラギン酸またはその塩を含むＮ−アシルアスパラギン酸系界面活性剤を含み、好ましくは、さらに、小割合成分として下記一般式（２）または（３）で表されるＮ−アシル−ジアスパラギン酸またはその塩を含有する。更に好ましくは小割合成分が下記一般式（２）で表されるＮ−アシル−ジアスパラギン酸またはその塩と下記一般式（３）で表されるＮ−アシル−ジアスパラギン酸またはその塩の両者を含有するものである。下記一般式（２）あるいは（３）におけるＲ２が下記一般式（１）におけるＲ１と等しいＮ−アシル−ジアスパラギン酸またはその塩を用いることが本発明の効果、即ち高起泡力、低刺激、ヌルツキの低減において特に優れる。そのアミノ酸部分の光学活性に関しては、Ｌ体、Ｄ体、ＤＬ体のいずれでも良い。特に下記一般式（１）で表わされるＮ−アシルアスパラギン酸またはその塩の割合は、８５〜１００質量質量％が好ましく、より好ましくは９０〜９９．９質量質量％であり、残部はアスパラギン酸オリゴマーのＮ−アシル化物およびその塩である。
【０００８】
【化１】
2009007470.tif 000002
【０００９】
【化２】
2009007470.tif 000003
【００１０】
【化３】
2009007470.tif 000004
【００１１】
また上記一般式（１）で表されるＮ−アシル−アスパラギン酸またはその塩、あるいは上記一般式（２）または（３）で表されるＮ−アシル−ジアスパラギン酸またはその塩としては、例えば、Ｎ−オクタノイルアスパラギン酸、Ｎ−デカノイルアスパラギン酸、Ｎ−ラウロイルアスパラギン酸、Ｎ−ミリストイルアスパラギン酸、Ｎ−パルミトイルアスパラギン酸、Ｎ−ステアロイルアスパラギン酸、Ｎ−イソステアロイルアスパラギン酸、Ｎ−オレオイルアスパラギン酸、Ｎ−リノレオイルアスパラギン酸、Ｎ−やし油脂肪酸アシルアスパラギン酸、Ｎ−パーム油脂肪酸アシルアスパラギン酸、Ｎ−パーム核油脂肪酸アシルアスパラギン酸等のＮ−アシルアスパラギン酸の単一物あるいは混合物、これらアシル基のジアスパラギン酸の単一物あるいは混合物、そしてそれらの塩としてはナトリウム塩、カリウム塩、リチウム塩、マグネシウム塩、カルシウム塩等の金属塩；アンモニウム塩、アルキルアンモニウム塩等のアンモニウム塩；モノエタノールアミン塩、ジエタノールアミン塩、トリエタノールアミン塩、アミノメチルプロパノール塩等のアミン塩；リジン塩、アルギニン塩等の塩基性アミノ酸塩、コリン塩等の単一物あるいは混合物が挙げられる。更にＮ−アシルアスパラギン酸塩は塩基成分の当量を適宜調節して得られる部分的な塩であってもよく、また複数の塩基成分の組み合わせであってもよい。これらＮ−アシルアスパラギン酸とＮ−アシルアスパラギン酸塩はそれぞれ単独で用いてもまた両者を混合して用いてもよい。塩の配合に代えて、Ｎ−アシルアスパラギン酸と塩基をそれぞれに配合して配合処方の中で塩を形成することもできる。また、高級脂肪酸のアルキル基が、Ｎ−アシルアスパラギン酸のアシル基のアルキル部分と等しい時に本発明の効果は最大となる。高級脂肪酸の種類については特に限定するものではなく、飽和、不飽和の何れであっても良いし、直鎖状、分岐状の何れであっても良いし、水酸基、芳香族基等の置換基
を有していても良い。高級脂肪酸またはその塩の具体例としては、例えば、カプリル酸、カプリン酸、ラウリン酸、ミリスチン酸、パルミチン酸、ステアリン酸、イソステアリン酸、アラキジン酸、ベヘン酸、ウンデシレン酸、パルミトレイン酸、オレイン酸、リノール酸、リノレン酸、ヒドロキシステアリン酸、リシノール酸、ラノリン脂肪酸、ヤシ油脂肪酸、ひまし油脂肪酸、オリーブ油脂肪酸、パーム油脂肪酸、パーム核油脂肪酸等の高級脂肪酸の単一物あるいは混合物、そしてそれらの塩としてはナトリウム塩、カリウム塩、リチウム塩、マグネシウム塩、カルシウム塩等の金属塩；アンモニウム塩、アルキルアンモニウム塩等のアンモニウム塩；モノエタノールアミン塩、ジエタノールアミン塩、トリエタノールアミン塩、アミノメチルプロパノール塩等のアミン塩；リジン塩、アルギニン塩等の塩基性アミノ酸塩等の単一物あるいは混合物が挙げられる。これら高級脂肪酸と高級脂肪酸塩はそれぞれ単独で用いてもまた両者を混合して用いてもよい。塩の配合に代えて、高級脂肪酸と塩基をそれぞれに配合して配合処方の中で塩を形成することもできる。高級脂肪酸またはその塩の量を多くすることで、起泡性が良好になるが皮膚や目粘膜に対する刺激性が強くなる。
【００１２】
本発明の洗浄剤組成物はＮ−アシルアスパラギン酸またはその塩を主成分とするＮ−アシルアスパラギン酸系界面活性剤０．０１〜５０質量％（洗浄剤組成物に対して）を含有すれば効果は充分に得られる。起泡力の向上、ヌルツキの低減の点で０．１〜４０質量％が好ましく、更に１〜３０質量％が好ましい。
本発明の洗浄剤組成物は２５℃で測定した時にｐＨが３〜７であることが好ましい。更に高い起泡力や皮膚に対する刺激の面からｐＨは４〜６が好ましく、特にｐＨが４．５〜５．５が好ましい。
【００１３】
本発明の洗浄剤組成物に含有することができるＮ−アシルアスパラギン酸またはその塩以外の界面活性剤はカチオン系界面活性剤、アニオン系界面活性剤、両性界面活性剤、ノニオン系界面活性剤が挙げられる。特にノニオン系界面活性剤は洗浄力や皮膚に対する刺激が低いので好ましい。Ｎ−アシルアスパラギン酸またはその塩以外の界面活性剤の添加量は、洗浄剤組成物に対して、０．１〜５０質量％、好ましくは１〜４０質量％、より好ましくは３〜３０質量％である。
【００１４】
カチオン系界面活性剤としては、例えば、ラウリルトリメチルアンモニウムクロライド、ミリスチルトリメチルアンモニウムクロライド、パルミチルトリメチルアンモニウムクロライド、ステアリルトリメチルアンモニウムクロライド、オレイルトリメチルアンモニウムクロライド、セチルトリメチルアンモニウムクロライド、ベヘニルトリメチルアンモニウムクロライド、ヤシ油アルキルトリメチルアンモニウムクロライド、牛脂アルキルトリメチルアンモニウムクロライド、ステアリルトリメチルアンモニウムブロミド、ヤシ油アルキルトリメチルアンモニウムブロミド、セチルトリメチルアンモニウムメチル硫酸等のモノアルキル第四級アンモニウム塩；ジオクチルジメチルアンモニウムクロライド、ジラウリルジメチルアンモニウムクロライド、ジステアリルジメチルアンモニウムクロライド等のジアルキル第四級アンモニウム塩；ラノリン脂肪酸アミノプロピルエチルジメチルアンモニウムエチル硫酸、ラウロイルアミノエチルメチルジエチルアンモニウムメチル硫酸等のアシルアミノアルキル第四級アンモニウム塩；ジパルミチルポリエテノキシエチルアンモニウムクロライド、ジステアリルポリエテノキシメチルアンモニウムクロライド等のアルキルエテノキシ第四級アンモニウム塩；ラウリルイソキノリニウムクロライド等のアルキルイソキノリニウム塩；ラウリルジメチルベンジルアンモニウムクロライド、ステアリルジメチルベンジルアンモニウムクロライド等のベンザルコニウム塩；ベンジルジメチル｛２−［２−（ｐ-１,１,３,３、-テトラメチルブチルフェノオキシ）エトオキシ］エチル｝アンモニウムクロライド等のベンゼトニウム塩；セチルピリジニウムクロライド等のピリジニウム塩；イミダゾリニウム塩；Ｎ−ココイルアルギニンエチルエステルピロリドンカルボン酸塩、Ｎ−ラウロイルリジンエチルエチルエステル塩酸塩等のアシル塩基
性アミノ酸アルキルエステル塩；ラウリルアミン塩酸塩等の第一級アミン塩；ジラウリルアミン酢酸塩等の第二級アミン塩；第三級アミン塩；脂肪酸アミドグアニジニウム塩；ラウリルトリエチレングリコールアンモニウムハイドロオキサイド等のアルキルトリアルキレングリコールアンモニウム塩等が挙げられる。
【００１５】
またアニオン系界面活性剤としては、例えば、ラウリル硫酸ナトリウム、ラウリル硫酸カリウム、ミリスチル硫酸ナトリウム、ミリスチル硫酸カリウム、セチル硫酸ナトリウム、ステアリル硫酸ナトリウム、オレイル硫酸ナトリウム、ラウリル硫酸トリエタノールアミン等のアルキル硫酸およびその塩；ポリオキシエチレンラウリルエーテル硫酸ナトリウム、ポリオキシエチレンセチルエーテル硫酸ナトリウム、ポリオキシエチレンオレイルエーテル硫酸ナトリウム、ポリオキシエチレンラウリルエーテル硫酸トリエタノールアミン等のアルキルエーテル硫酸およびその塩；ポリオキシエチレンオクチルフェニルエーテル硫酸ナトリウム等のアルキルアリールエーテル硫酸およびその塩；ポリオキシエチレンラウリン酸アミドエーテル硫酸ナトリウム、ポリオキシエチレンラウリン酸アミドエーテル硫酸トリエタノールアミン、ポリオキシエチレンミリスチン酸アミドエーテル硫酸ナトリウム、ポリオキシエチレンオレイン酸アミドエーテル硫酸ナトリウム、ポリオキシエチレンヤシ油脂肪酸アミドエーテル硫酸ナトリウム、オレイン酸アミドエーテル硫酸ナトリウム等のアルキルアミド硫酸およびその塩；硬化ヤシ油脂肪酸グリセリン硫酸ナトリウム等のアシルエステル硫酸およびその塩；ラウリルスルホン酸ナトリウム、ミリスチルスルホン酸ナトリウム、ヤシ油アルキルスルホン酸ナトリウム等のアルキルスルホン酸およびその塩；リニアドデシルベンゼンスルホン酸ナトリウム、リニアドデシルベンゼンスルホン酸トリエタノールアミン等のアルキルベンゼンスルホン酸およびその塩；アルキルナフタレンスルホン酸およびその塩；ナフタレンスルホン酸塩のホルマリン重縮合物等のホルマリン縮合系スルホン酸およびその塩；スルホコハク酸ラウリル２ナトリウム、ジ−２−エチルヘキシルスルホコハク酸ナトリウム、ポリオキシエチレンスルホコハク酸ラウリル２ナトリウム、オレイン酸アミドスルホコハク酸２ナトリウム等のスルホコハク酸およびその塩；ドデセンスルホン酸ナトリウム、テトラデセンスルホン酸ナトリウム、ドデセンスルホン酸カリウム、デトラデセンスルホン酸カリウム等のα−オレフィンスルホン酸およびその塩；α−スルホラウリン酸メチルエステル、α−スルホミリスチン酸メチルエステル、α−スルホラウリン酸（ＥＯ）ｎメチルエステル等のα−スルホ脂肪酸エステルおよびその塩；ヤシ油脂肪酸アシル−Ｎメチルタウリンカリウム、ラウロイル−Ｎメチルタウリンナトリウム、ラウロイル−Ｎメチルタウリンカリウム、ラウロイル−Ｎメチルタウリントリエタノールアミン、ミリストイル−Ｎメチルタウリンナトリウム、ミリストイル−Ｎメチルタウリントリエタノールアミン、ヤシ油脂肪酸アシル−Ｎメチルタウリンナトリウム、ヤシ油脂肪酸アシル−Ｎメチルタウリントリエタンールアミン等のＮ−アシルメチル−タウリンおよびその塩；ラウロイルイセチオン酸ナトリウム、ミリストイルイセチオン酸ナトリウム、ヤシ油脂肪酸アシルイセチオン酸ナトリウム等のアシルイセチオン酸およびその塩；アルキルスルホ酢酸塩；ポリオキシエチレンラウリルエーテルリン酸ナトリウム、ポリオキシエチレンセチルエーテルリン酸ナトリウム、ポリオキシエチレンミリスチルリン酸カリ��ム、ポリオキシエチレンオレイルエーテルリン酸ナトリウム、ジポリオキシエチレンオレイルエーテルリン酸ナトリウム等のアルキルエーテルリン酸およびその塩；アルキルアリールエーテルリン酸およびその塩；ポリオキシエチレンラウリルアミドエーテルリン酸ナトリウム等の脂肪酸アミドエーテルリン酸およびその塩；ラウリルリン酸ナトリウム、ミリスチルリン酸ナトリウム、ヤシ油脂肪酸リン酸ナトリウム、ミリスチルリン酸カリウム、ラウリルリン酸トリエタノールアミン、オレイルリン酸ジエタノールアミン等のアルキルリン酸およびその塩；Ｎ−ラウロイルグルタミン酸ナトリウム、Ｎ−ミリストイルグルタミン酸ナトリウム、Ｎ−ヤシ油脂肪酸アシルグルタミン酸ナトリウム、Ｎ−ラウロイルグルタミン酸カリウム、Ｎ−ミリストイルグルタミン酸カリウム、Ｎ−ヤシ油脂肪酸アシルグルタミン酸カリウム、Ｎ−ラウロイルグルタミン酸トリエタノールアミン、Ｎ−ミリストイルグルタミン酸トリエタノールアミン、Ｎ−ヤシ油脂肪酸アシル
グルタミン酸トリエタンールアミン、Ｎ−ラウロイルグリシンナトリウム、Ｎ−ミリストイルグリシントリエタノールアミン、Ｎ−ラウロイル−β−アラニンカリウム、Ｎ−ラウロイルスレオニントリエタノールアミン、Ｎ−ラウロイルサルコシンナトリウム、Ｎ−ラウロイル−Ｎ−メチル−β−アラニンナトリウム、Ｎ−ラウロイル−Ｎ−メチル−β−アラニントリエタノールアミン等のＮ−アシルアミノ酸およびその塩；ラウロイルイミノジ酢酸ナトリウム、ラウロイルイミノジ酢酸トリエタノールアミン、ヤシ油脂肪酸アシルイミノジ酢酸ナトリウム、ラウロイルイミノジ酢酸ジナトリウム、パーム核脂肪酸イミノジ酢酸ナトリウム等のアシルイミノジ酢酸およびその塩；ポリオキシエチレンラウリルエーテル酢酸ナトリウム、ポリオキシエチレンミリスチルエーテル酢酸カリウム、ポリオキシエチレンパルミチルエーテル酢酸トリエタノールアミン、ポリオキシエチレンステアリルエーテル酢酸ナトリウム、ポリグリセリルラウリルエーテル酢酸ナトリウム等のエーテルカルボン酸およびその塩；ヤシ油脂肪酸シルクペプチド等のアシル化ペプチド；ポリオキシエチレンラウリン酸アミドエーテルカルボン酸ナトリウム、ポリオキシエチレンミリスチン酸アミドエーテルカルボン酸ナトリウム、ポリオキシエチレンヤシ油脂肪酸アミドエーテルカルボン酸トリエタノールアミン等のアミドエーテルカルボン酸およびその塩；アシル乳酸塩；アルケニルコハク酸およびその塩等が挙げられる。
【００１６】
更に両性界面活性剤としては、例えば、ラウリルジメチルベタイン、ミリスチルジメチルベタイン、パルミチルジメチルベタイン、ステアリルジメチルベタイン、オレイルジメチルベタイン、ヤシ油アルキルジメチルベタイン、ラウリルメチルエチルベタイン、オクタデシルオキシメチルジメチルベタイン、ラウリルジヒドロキシエチルベタイン、ステアリルジヒドロキシエチルベタイン、ヤシ油アルキルジヒドロキシエチルベタイン、ラウリン酸アミドプロピルジメチルベタイン、ミリスチン酸アミドプロピルジメチルベタイン、ステアリン酸アミドプロピルジメチルベタイン、オレイン酸アミドプロピルジメチルベタイン、ヤシ油脂肪酸アミドプロピルジメチルベタイン等のカルボキシベタイン型；ＲＮ+Ｈ2ＣＨ2ＣＯＯ-（Ｒ：アルキル）で示されるラウリルグリシン、ステアリルグリシン等のグリシン型；ＲＮ+Ｈ2ＣＨ2ＣＨ2ＣＯＯ-（Ｒ：アルキル）で示されるラウリル−β−アラニン、ステアリル−β−アラニン等のアミノプロピオン酸型；ラウリルジメチルヒドロキシプロピルスルホベタイン、ミリスチルジメチルヒドロキシプロピリルスルホベタイン、ラウリルジメチルプロピルスルホベタイン、ヤシ油アルキルジメチルプロピルスルホベタイン、ラウリン酸アミドプロピルジメチルヒドロキシプロピルスルホベタイン等のスルホベタイン型；ＲＮ+Ｈ2ＣＨ2ＣＨ2ＳＯ3-（Ｒ：アルキル）で示されるスルホン酸型；ＲＮ+Ｈ2ＣＨ2ＣＨ2ＯＳＯ3-（Ｒ：アルキル）で示される硫酸型；ラウリルアミノプロピオン酸ナトリウム、ラウリルアミノジプロピオン酸ナトリウム、Ｎ−ラウロイル−Ｎ−ヒドロキシエチル−Ｎ´−ジカルボキシエチル−エチレンジアミン２ナトリウム、Ｎ−ラウロイル−Ｎ−ヒドロキシエチル−Ｎ´−カルボキシエチル−エチレンジアミンナトリウム、Ｎ−ラウロイル−Ｎ´−カルボキシメチル−Ｎ´−ヒドロキシエチルエチレンジアミンナトリウム、Ｎ−ヤシ脂肪酸アシル−Ｎ´−カルボキシエチル−Ｎ´−ヒドロキシエチルエチレンジアミンナトリウム、Ｎ−ラウロイル−Ｎ−ヒドロキシエチル−Ｎ´−ジカルボキシメチル−エチレンジアミン２ナトリウム、Ｎ−ラウロイル−Ｎ−ヒドロキシエチル−Ｎ´−カルボキシメチル−エチレンジアミンナトリウム、Ｎ−ヒドロキシドデシル−Ｎ−ポリオキシエチレン−Ｎ´−カルボキシエチル−Ｎ´−ポリオキシエチレンエチレンジアミンナトリウム等のアミノカルボン酸塩型；２−ラウリル−Ｎ−カルボキシメチル−Ｎ−ヒドロキシエチルイミダゾリニウムベタイン、２−ミリスチル−Ｎ−カルボキシメチル−Ｎ−ヒドロキシエチルイミダゾリニウムベタイン、２−ステアリル−Ｎ−カルボキシメチル−Ｎ−ヒドロキシエチルイミダゾリニウムベタイン、２−ヤシ油アルキル−Ｎ−カルボキシメチル−Ｎ−ヒドロキシエチルイミダゾリニウムベタイン等のイミダゾリン型；ＲＮ+Ｈ2ＣＨ（ＣＨ3）Ｐ（ＯＨ）Ｏ2-（Ｒ：アルキル）で示されるリン酸型；レシチン等が挙げられる。
【００１７】
一方、ノニオン系界面活性剤としては、例えば、ＰＯＥ（ポリオキシエチレン）オクチルエーテル、ＰＯＥラウリルエーテル、ＰＯＥミリスチルエーテル、ＰＯＥセチルエーテル、ＰＯＥステアリルエーテル、ＰＯＥオレイルエーテル、ＰＯＥイソステアリルエーテル、ＰＯＥベヘニルエーテル、ＰＯＥオクチル（２−エチル−ヘキシル）エーテル等のポリオキシエチレンアルキルエーテル；ＰＯＥ・ＰＯＰ（ポリオキシプロピレン）ブチルエーテル、ＰＯＥ・ＰＯＰラウリルエーテル、ＰＯＥ・ＰＯＰセチルエーテルＰＯＥ・ＰＯＰグリコール等のポリオキシエチレンポリオキシプロピレングリコール型；ＰＯＥオクチルフェニルエーテル、ＰＯＥノニルフェニルエーテル、ＰＯＥクロロフェニルエーテル、ポリオキシエチレンナフトールエーテル等のポリオキシエチレンアリールエーテル；ＰＯＥ硬化ひまし油エーテル、ＰＯＥひまし油エーテル；その他ＰＯＥラノリンアルコールエーテル、ＰＯＥフィトステロール等のエーテル系；モノステアリン酸ＰＯＥグリセリル、オレイン酸ＰＯＥグリセリル等のポリオキシエチレングリセリン脂肪酸エステル；モノラウリン酸ＰＯＥソルビタン、モノステアリン酸ＰＯＥソルビタン、トリステアリン酸ＰＯＥソルビタン、モノイソステアリン酸ＰＯＥソルビタン等のポリオキシエチレンソルビタン脂肪酸エステル；ヘキサステアリン酸ＰＯＥソルビトール、テトラステアリン酸ＰＯＥソルビトール、テトラオレイン酸ＰＯＥソルビトール、モノラウリン酸ＰＯＥソルビトール等のポリオキシエチレンソルビトール脂肪酸エステル；ポリエチレングリコールモノラウリン酸、ポリエチレングリコールモノステアリン酸、ポリエチレングリコールモノオレイン酸、ポリエチレングリコールジステアリン酸、ポリエチレングリコールジオレイン酸、ポリエチレングリコールジイソステアリン酸等のポリエチレングリコール脂肪酸エステル；その他ポリエチレングリコールラノリン脂肪酸エステル等のエーテルエステル系；モノステアリン酸グリセリル、自己乳化型モノステアリン酸グリセリル、モノヒドロキシステアリン酸グリセリル、ジステアリン酸グリセリル等のグリセリン脂肪酸エステル；モノステアリン酸ジグリセリル、モノオレイン酸ジグリセリル、ジオレイン酸ジグリセリル、モノイソステアリン酸ジグリセリル、モノステアリン酸テトラグリセリル、トリステアリン酸テトラグリセリル、ペンタステアリン酸テトラグリセリル、モノラウリン酸ヘキサグリセリル、モノミリスチン酸ヘキサグリセリル、ジステアリン酸デカグリセリル、ジイソステアリン酸デカグリセリル等のポリグリセリン脂肪酸エステル；モノラウリン酸ソルビタン、モノステアリン酸ソルビタン、モノオレイン酸ソルビタン、トリオレイン酸ソルビタン、トリステアリン酸ソルビタン、モノイソステアリン酸ソルビタン等のソルビタン脂肪酸エステル；モノラウリン酸エチレングリコール等のエチレングリコール脂肪酸エステル；モノステアリン酸プロピレングリコール、自己乳化型モノステアリン酸プロピレングリコール等のプロピレングリコール脂肪酸エステル；モノステアリン酸ペンタエリスリトール、モノオレイン酸ペンタエリスリトール等のペンタエリスリトール脂肪酸エステル；マルチトールヒドロキシ脂肪酸エーテル、アルキル化多糖、アルキル（ポリ）グルコシド、シュガーエステル等の糖誘導体；α−モノイソステアリルグリセリルエーテル等のアルキルグリセリルエーテル；アセチル−モノグリ、乳酸モノグリセリド、クエン酸モノグリセリド等の有機酸モノグリセリド；ヤシ油脂肪酸モノエタノールアミド、ラウロイルモノエタノールアミド、ミリストイルモノエタノールアミド、ラウロイルジエタノールアミド、ヤシ油脂肪酸ジエタノールアミド、ラウロイルイソプロパノールアミド、ミリストイルイソプロパノールアミド、ヤシ油脂肪酸イソプロパノールアミド、ＰＯＥラウロイルモノエタノールアミド等の脂肪酸アルカノールアミド；ＰＯＥラウリルアミン、ＰＯＥステアリルアミン等のＰＯＥアルキルアミン；ラウリルジメチルアミンオキサイド、ココジメチルアミンオキサイド、ココアミドプロピルジメチルアミンオキサイド等のアミンオキサイド等；ポリグリコールジエステル等を挙げることができる。特に洗浄力の点でＰＯＥアルキルエーテル系やＰＯＥ・ＰＯＰアルキルエーテル系例えばＰＯＥオクチルエーテル、ＰＯＥデシルエーテル、ＰＯＥドデシルエーテル、ＰＯＥテトラデシルエーテル、ＰＯＥＰＯＥオクチルエーテル、ＰＯＥ・ＰＯＰデシルエーテル、ＰＯＥ・ＰＯＰドデシルエーテル、ＰＯＥ・ＰＯＰテトラデシルエーテルが好ましい。更にＰＯＥ・ＰＯＰアルキルエーテル（アルキル：Ｃ１４の２級アルコール）、ＰＯＥ・ＰＯＰアルキルエーテル（アルキ
ル:Ｃ８ゲルベアルコール）、ＰＯＥ・ＰＯＰアルキルエーテル（アルキル:Ｃ１０ゲルベアルコール）、ＰＯＥ・ＰＯＰアルキルエーテル（アルキル:Ｃ８ゲルベアルコール）等が好ましい。
【００１８】
本発明の洗浄剤組成物にｐＨ調整剤を添加することは本発明の効果を損なわなければ何でも良く特に限定させるものでないが、クエン酸、クエン酸ナトリウム、水酸化ナトリウム、塩酸、硫酸、チオ硫酸ナトリウム等を挙げることができる。
本発明の洗浄剤組成物の使用方法は対象物に洗浄剤組成物が対象物に接すれば特に限定させるものでないが、洗浄剤組成物をスポンジに染み込ませて泡立てから使用したり、洗浄剤組成物を適当な濃度に希釈した液の中に野菜や果物、食器、調理器等を入れてから洗浄したり、直接対象物に噴霧してから拭き取り、水洗等の洗浄を行っても良い。
【００１９】
また、本発明の洗浄剤組成物に防腐剤（防カビ剤を含む）やアルコール類、増粘剤、色素、香料、キレート剤等の添加剤を添加することは本発明の効果を損なわなければ何でも良く特に限定させるものでない。防腐剤としては安息香酸、安息香酸ナトリウム、ウンデレン酸、サリチル酸、ソルビン酸、ソルビン酸カリウム、デヒドロ酢酸、デヒドロ酢酸ナトリウム、パラオキシ安息香酸エステル類及びその塩等の有機酸及びその誘導体、イソプロピルメチルフェノール、グルコン酸クロルヘキシジン、クレゾール、クロロチモール、クロロフェネシン、クロ
ロクレゾール、ジクロロキシレノール、ジクロロベンジルアルコール、チオビスクロロフェノール、チモール、トリクロロカルバニリド、トリクロロヒドロキシジフェニルエーテル、ナトリウムフェノキシド、パラクロロフェノール、ハロカルバン、フェニルエチルアルコール、フェニルフェノール、フェニルフェノールナトリウム、フェノキシエタノール、フェノール、フェキサクロロフェン、ベンジルアルコール等のフェノール類、塩化ステアリルジメチルベンジルアルコール、塩化ステアリルトリメチルアンモニウム、塩化セチルトリメチルアンモニウム、塩化ベンザルコニウム、塩化セチルピリジウム、塩化ベンゼトニウム、塩化メチルベンゼトニウム、塩化ラウリルトリメチルアンモニウム、塩化ラウリルピリジニウム、塩化ラウロイルコラミノホルミルメチルピリジニウム、臭化アルキルイソキノリニウム、臭化セチルトリメチルアンモニウム、臭化ドミフェン、臭化ラウリルトリメチルアンモニウム、セチルトリメチルアンモニウムサッカリン等の４級アンモニウム塩、塩酸アルキルジアミノエチルグリシン等の両性界面活性剤、プラトニン、ピオニン、ルミネキス、感光素ＮＫ１４３等の感光素、茶エキス、ヒノキキチオール、リンゴエキス、ポリリジン等の抗菌活性を持つ植物抽出液、その他グルタラール、クロラミンＴ、クロルヘキシジン、ジイセチオン酸ジプロモプロパミジン、ジンクピリチオン、トリクロサン、ピリチオンＮａ、フルフラール、クロラミンＴ等が挙げられる。この中でも特に好ましい抗カビ剤として安息香酸及びその塩、サリチル酸、ソルビン酸、ソルビン酸カリウム、デヒドロ酢酸、デヒドロ酢酸ナトリウム、パラオキシ安息香酸エステル類、塩化セチルピリジウム、塩化ステアリルジメチルベンジルアンモニウム、茶エキス、ヒノキキチオール、リンゴエキス、ポリリジン、トリクロサン等を挙げる事ができる。これら防カビ剤は１種単独あるいは２種以上と組み合わせて用いる事ができる。また、アルコール類としてはエタノールやＩＰＡを、増粘剤としては増粘を示す成分であれば何でも良いがキサンタンガム、カルボキシルビニルポリマー、アクリル酸系を、色素は着色すれば何でも良いが法定色素を、香料は匂いを示す成分であれば何でも良いが天然香料、合成香料、調合香料を、キレート剤は金属捕獲作用があれば何でも良いがコンプレキサン、アラニン、エチレンジアミンヒドロキシエチル３酢酸３ナトリウム、エデト酸、エデト酸２ナトリウム、エデト酸２ナトリウムカルシウム、エデト酸３ナトリウム、エデト酸４ナトリウム、クエン酸ナトリウム、クエン酸、グルコン酸、酒石酸、フィチン酸、ポリリン酸ナトリウム、メタリン酸ナトリウム等が挙げられる。この中でも特に好ましいキレート剤としてアラニン、エデト酸２ナトリウム、エデト酸２ナトリウムカルシウム、クエン酸ナトリウム、クエン酸、グルコン酸、酒石酸、ポリリン酸ナトリウム、メタリン酸ナトリウム等を挙げる事
ができる。それら添加剤は本発明の洗浄剤組成物に１種単独あるいは２種以上と組み合わせて用いる事ができる。また、その他の成分として安定剤等を本発明の洗浄剤組成物に添加しても差し支えない。
【実施例】
【００２０】
下記に本発明の実施例を詳細に説明する。
実施例、比較例で使用する原料名（略称）、は下記の通りである。
ラウロイルアスパラギン酸Ｎａ（旭化成ケミカルズ株式会社のアミノフォーマー同等品）：以下、ＡＦと略称する。
モノステアリン酸プロピレングリコール（日光ケミカルズ株式会社のＮＩＫＫＯＬ  ＰＭＳ−１Ｃ）：ＰＭＳ−１Ｃと略する。
グリセリン脂肪酸エステル（日光ケミカルズ株式会社のＮＩＫＫＯＬ  ＭＧＭ）：以下、ＭＧＳと略する。
【００２１】
ポリグリセリン脂肪酸エステル（日光ケミカルズ株式会社のＮＩＫＫＯＬ  Ｄｅｃａｇｌｙｎ  １−Ｌ）：以下、デカグリ１−Ｌと略する。  
ＰＯＥグリセリン脂肪酸エステル（日光ケミカルズ株式会社のＮＩＫＫＯＬ  ＴＭＧＳ−１５）：以下、ＴＭＧＳ−１５と略する。
ソルビタン脂肪酸エステル（日光ケミカルズ株式会社のＮＩＫＫＯＬ  ＳＬ−１０）：以下、ＳＬ−１０と略する。
ＰＯＥソルビタン脂肪酸エステル（日光ケミカルズ株式会社のＮＩＫＫＯＬ  ＴＳ−１０）：以下、ＴＳ−１０と略する。
ＰＯＥソルビット脂肪酸エステル（日光ケミカルズ株式会社のＮＩＫＫＯＬ  ＧＯ−４４０）：以下、ＧＯ−４４０と略する。
【００２２】
ＰＯＥ硬化ヒマシ油（日光ケミカルズ株式会社のＮＩＫＫＯＬ  ＨＣＯ−４０）：以下、ＨＣＯ−４０と略する。
ＰＯＥアルキルエーテル（日光ケミカルズ株式会社のＮＩＫＫＯＬ  ＢＬ−９ＥＸ）：以下、ＢＬ−９ＥＸと略する。
ＰＯＥアルキル（２級アルコール）エーテル（日光ケミカルズ株式会社のＮＩＫＫＯＬＢＴ−９）：以下、ＢＴ−９と略する。
ＰＯＰ・ＰＯＥアルキルエーテル（日光ケミカルズ株式会社のＮＩＫＫＯＬ  ＰＰＢＣ−４４）：以下、ＰＢＣ−４４略する。
ＰＯＥ・ＰＯＰアルキル（Ｃ１０のゲルベアルコール）エーテル（第一工業製薬株式会社のＸＬ−６０）：以下、ＸＬ−６０と略称する
【００２３】
ポリエチレングリコール脂肪酸エステル（日光ケミカルズ株式会社のＮＩＫＫＯＬ  ＭＹＬ−１０）：以下、ＭＹＬ−１０と略する。
アシルアミノ酸塩（日光ケミカルズ株式会社のＮＩＫＫＯＬ  アラニネートＬＮ−３０）：以下、アラニネートと略する。
アルキルエーテルカルボン酸塩（日光ケミカルズ株式会社のＮＩＫＫＯＬ  ＡＫＹＰＯＲＬＭ  ４５  ＮＶ）：以下、アキポ４５と略する。
Ｎ―アシルタウリン塩（日光ケミカルズ株式会社のＮＩＫＫＯＬ  ＣＭＴ−３０）：以下、ＡＭＴと略する。
アルキル硫酸塩（日光ケミカルズ株式会社のＮＩＫＫＯＬ  ＳＬＳ）：以下、ＳＬＳと略する。
【００２４】
ＰＯＥアルキルエーテル硫酸塩（日光ケミカルズ株式会社のＮＩＫＫＯＬ  ＳＢＬ−２Ｎ−２７）：以下、ＳＢＬと略する。
酢酸ベタイン型両性界面活性剤（日光ケミカルズ株式会社のＮＩＫＫＯＬ  ＡＭ−３０
１）：以下、ＡＭ−３０１と略する。
イミダゾリン型両性界面活性剤（日光ケミカルズ株式会社のＮＩＫＫＯＬ  ＡＭ−１０１）：以下、ＡＭ−１０１と略する。
アルキルアンモニウム塩（日光ケミカルズ株式会社のＮＩＫＫＯＬ  ＣＡ−１０１）：以下、ＣＡ−１０１と略する。  
【００２５】
実施例、比較例中で行う性能評価試験方法は下記の通りである。
起泡力：試料洗浄組成物６ｍｌと２５℃の水４リットルを容器に入れる。その中で予め準備しておいたバター６ｇを塗った１枚目のお皿を洗浄布で油分がなくなるまで洗う。１０枚目が洗い終わったらその容器の中の水溶液を手で泡立たせてみる。この時の泡立ちをパネラー男女８人における官能評価で行った。得られた結果は次の基準より判定を行った。
◎：泡立ちが非常に良い
○：泡立ちが良い
△：泡立ちが悪い
×：泡立ちが非常に悪い
【００２６】
洗浄力：試料洗浄組成物６ｍｌと２５℃の水４リットルを容器に入れる。その中で予め準備しておいたバター６ｇを塗った１枚目のお皿を洗浄布で油分がなくなるまで洗う。１０枚目洗浄時の洗浄力をパネラー男女８人における官能評価で行った。得られた結果は次の基準より判定を行った。
◎：洗浄力が非常に強いと感じた
○：洗浄力が強い感じた
△：洗浄力が弱いと感じた
×：洗浄力がないと感じた
【００２７】
ヌルツキ：試料洗浄組成物６ｍｌと２５℃の水４リットルを容器に入れる。その中で予め準備しておいたバター６ｇを塗った１枚目のお皿を洗浄布で油分がなくなるまで洗う。１０枚目洗浄時、洗浄中のお皿のヌルツキ感をパネラー男女８人における官能評価で行った。得られた結果は次の基準より判定を行った。
◎：ヌルツキを非常に少ないと感じた
○：ヌルツキが少ないと感じた
△：ヌルツキを感じた
×：ヌルツキを非常に感じた
【００２８】
刺激：試料洗浄組成物６ｍｌと２５℃の水４リットルを容器に入れる。その中で予め準備しておいたバター６ｇを塗った１枚目のお皿を洗浄布で油分がなくなるまで洗う。１０枚目洗浄後の皮膚に対する刺激をパネラー男女８人における官能評価で行った。得られた結果は次の基準より判定を行った。
◎：刺激が非常に少ないと感じた
○：刺激が少ないと感じた
△：刺激を感じた
×：刺激を非常に感じた
【００２９】
総合判定：起泡力、洗浄力、ヌルツキ、刺激の官能評価で行って得られた結果から次の基準より判定を行った
◎：×が一つもない
×：×が一つ以上ある
【００３０】
［実施例１］
表中のクエン酸、クエン酸ナトリウムを除く全ての成分（ＡＦ）を一部の精製水の中に入れ８０℃で均一に加熱混合して室温まで冷却させる。その後、クエン酸あるいはクエン酸ナトリウムで表中のｐＨ（５．５）に調整した後、残りの精製水で全量を１００質量部とし洗浄剤組成物を得て評価を行った。ただし、表中のｐＨを除く数字単位は全て質量部である。
以下、同様に実施例２〜２３、比較例１〜９を作成して評価を行った。その結果は、次の表１に示されている。
【００３１】
【表１】
2009007470.tif 000005
【産業上の利用可能性】
【００３２】
本発明は、洗浄中の対象物とのヌルツキ感を嫌う食器や調理器具、果物や野菜等の硬質表面に付着した汚れを除去する洗浄剤組成物として好適である。